(57)【要約】【課題】書籍等を参照せずに顔面のつぼの位置を正確に把握した上で、つぼを刺激することができる、顔面つぼ表示シートを提供すること。【解決手段】顔面の形に近い楕円形のシート１０に両目１２及びつぼ１４ａが描かれている。シートは透明のポリエステル等のプラスチック製で、裏面に、粘着剤付き付箋に使用されているような、アクリル系粘着剤が塗布されている。鏡に映った顔の目の位置に、顔面つぼ表示シートＡの目１２が重なるように顔面つぼ表示シートＡを鏡に貼る。これにより、鏡に映った顔に顔面つぼ表示シート１０のつぼ１４ａが重なるため、眼精疲労等の改善に必要なつぼの正確な位置が分かり、意識を集中させて正確なつぼを押すことができるので、書籍等を参照しながらの刺激に比べて、つぼを刺激することによる高い効果を得ることができる。【選択図】図１
2010233823.tif 000002
【特許請求の範囲】
【請求項１】
裏面が粘着性を有するプラスチック製の透明シートの表面に、両目とつぼの位置が表示されていることを特徴とする、
顔面つぼ表示シート。
【請求項２】
前記シートの裏面にアクリル系粘着剤が塗布されている、請求項１の顔面つぼ表示シート。
【請求項３】
請求項１又は２の顔面つぼ表示シートのつぼの表示が、症状別に区別された複数枚のシートからなるセット。
【発明の詳細な説明】
【技術分野】
【０００１】
本発明は、鏡に貼って使用する、顔面のつぼの位置を示した顔面つぼ表示シートに関する。
【背景技術】
【０００２】
はり・きゅうで使われる経穴（以下、「つぼ」と称する。）は、人体に３６１箇所あるとされており、東洋医学で体内のエネルギーの通り道とされる経絡の要所に多く存在する。つぼを刺激することで、血行が促進され新陳代謝が高まり、肩こり、胃腸の不調、冷え性など、慢性的な体調不良を改善することができる。
特に、顔面にあるつぼを押して刺激すると、目の疲れ、歯痛、耳鳴り、頭痛、めまい等を改善することができ、健康の促進になる。また、顔面のしみ、そばかす、しわやたるみにも効果があるつぼも存在するため、顔面のつぼの刺激は、美肌を維持し、向上させることにもつながる。
【０００３】
しかし、顔面のつぼは多数存在するため、位置が示されている書籍などを参照しないと、正確なつぼを刺激することが難しいという問題があった。また、つぼの刺激は、意識を集中させて行うことで効果を得られるため、書籍等を参照しながらの刺激は、本来の効果を期待できない、という問題もある。
【０００４】
そこで、従来技術として特許文献１のつぼの位置が表示されたフェイスマスクがある。
【先行技術文献】
【特許文献】
【０００５】
【特許文献１】特許第３７８７６７９号公報
【０００６】
特許文献１の発明は、顔面を覆う形状のシートに、身体の目に相当する部分に視認用貫通孔を形成し、表面に複数の指圧位置表示部を配してなるフェイスマスクを開示している。
【０００７】
しかし、特許文献１の発明は、顔に装着し、視認用貫通孔を通じて装着状態を鏡で確認することにより、顔面のつぼの位置を確認しながら指圧が可能であるが、顔の大きさにより使用が制限される上に、例えば、眼鏡をかけている場合は、眼鏡を外さないと使用することができない。また、顔に装着するため、多少の圧迫感があり、化粧をしている場合はフェイスマスクに付着して落ちる可能性があるため、外出先では使用しづらい、という問題もあった。
【発明の概要】
【発明が解決しようとする課題】
【０００８】
現代のビジネスでは、パソコンの長時間使用に伴い、眼精疲労等に悩まされる人が多い。
例えば、仕事中に目の疲れを感じた場合に、眼精疲労に効くつぼを刺激することで症状を改善できる。また、薬を服用した場合に生じる眠気等の副作用もない上、つぼ刺激によりリラックス効果が得られ、気分転換にもなることから、仕事の効率化にもつながる。
【０００９】
そこで、本発明は、顔面のつぼの位置を表示した鏡に貼る透明のシートを提供し、外出先でも必要に応じてつぼの位置を正確に把握した上で、つぼの刺激ができるようにすることを目的とする。
【課題を解決するための手段】
【００１０】
本発明は、裏面が粘着性を有するプラスチック製の透明シートの表面に、両目とつぼの位置が表示されていることを特徴とする顔面つぼ表示シートにより、前記課題を解決した。
なお、本発明で、「シート」とは、「フィルム」を含むものとする。
請求項２のように、シートの裏面にアクリル系粘着剤が塗布されることで、貼り剥がしを自在にすることができ、繰り返し使用することができる。
さらに、請求項３のように、症状別に区別された複数枚のシートのセットを用意しておくと便利である。
【発明の効果】
【００１１】
本発明によると、顔面のつぼの位置を表示した透明のシートを鏡に貼り、鏡に映った顔とシートのつぼの表示部分が重なる箇所がつぼを刺激する際の指標となるため、書籍等を参照しなくても、正確なつぼの位置を把握した上で、つぼを刺激することができる。また、顔面への装着が不要であり、鏡に貼るだけでよいことから、化粧が落ちる心配もなく、眼鏡等も外す必要がないため、会社の化粧室など、外出先でも抵抗なく使用することができる。
さらに、シートの裏面にアクリル系粘着剤が塗布されていると、貼り剥がしが自在であり、繰り返し使用できるため、経済的である。また、畳んでコンパクトにできるものであると、持ち運びに便利であり、顔の大きさによる制限もないことから、男女を問わず使用できるものである。
【図面の簡単な説明】
【００１２】
【図１】本発明の眼精疲労を解消する顔面のつぼの位置が表示されたシートの正面図。
【図２】本発明の歯痛を解消する顔面のつぼの位置が表示されたシートの正面図。
【図３】本発明の顔面のしわを改善する顔面のつぼの位置が表示されたシートの正面図。
【図４】本発明の顔面のしみを薄くする顔面のつぼの位置が表示されたシートの正面図。
【図５】本発明の顔面のたるみを改善する顔面のつぼの位置が表示されたシートの正面図。
【図６】本発明シートを鏡に貼ってつぼを刺激している状態を示す概略斜視図。
【発明を実施するための形態】
【００１３】
以下、添付図面１及び６を参照して、本発明の実施形態を説明する。
図１は、本発明の眼精疲労を解消する顔面のつぼの位置が表示されたシートの正面図である。図６は、本発明シートを鏡に貼ってつぼを刺激している状態を示す概略斜視図である。
顔面の形に近い楕円形のシート１０に両目１２及びつぼ１４ａが描かれている。シートは透明のポリエステルなどのプラスチック製で、裏面に、粘着剤付き付箋に使用されているような、アクリル系粘着剤が塗布されている。
しかし、シート１０の素材を、食品用ラップフィルムに用いられるポリ塩化ビニリデンにした場合は、アクリル系粘着材は塗布しなくて、粘着性が備わっている。
なお、シート１０の形状は楕円形に限定されず、円形や長方形でもよい。
【００１４】
次に、本実施形態の顔面つぼ表示シートの使用方法を説明する。
図６に示すように、鏡Ｂに映った顔の目の位置に、顔面つぼ表示シートＡの目１２が重なるように顔面つぼ表示シートＡを鏡Ｂに貼る。これにより、鏡に映った顔に顔面つぼ表示シート１０のつぼ１４ａが重なるため、眼精疲労の改善に必要なつぼの正確な位置が分かるため、意識を集中させて正確なつぼを押すことができ、書籍等を参照しながらの刺激に比べて、つぼを刺激することによる高い効果を得ることができる。
【００１５】
また、シートを鏡に貼るだけでよいことから、眼鏡を外す必要もなく、女性の場合、化粧が落ちる心配もないため、外出先でも抵抗なく使用できる。例えば、仕事中化粧室に行くついでに本シートを持参し、目の疲れなど気になる症状を改善するつぼを刺激する、ということも可能である。つぼの刺激は、薬を服用した場合に生じる眠気等の副作用もなく、リラックス効果が得られる上に気分転換にもなることから、仕事の効率化も期待できる。
さらに、顔の大きさによる制限がないため、男女を問わず使用できることは言うまでもない。
【００１６】
また、本シートはプラスチック製であることから、畳んでコンパクトにでき、持ち運びに便利な上に、裏面には貼りはがし自在のアクリル系粘着材が塗布されていると、繰返し使用することができ、経済的である。しかし、形態保持性のある厚さのものであると、鏡の近くに、常時、立てて、保管することができる。
【００１７】
また、シートが、改善したい症状ごとに作製されて１セットになっていると、歯痛を解消したい場合は図２のシートを、顔面のしわ、しみ、たるみを改善したい場合は、それぞれ、図３から図５のいずれかのシートを用いればよい。また、本発明は、顔面のつぼで改善できる症状であれば適用可能であり、図示した症状に限定されないことは言うまでもない。
また、つぼを押さえる替わりに、貼って使用するタイプの「はり」を使用してもよい。
さらに、図示は省略するが、つぼの表示を、色や形が違うようにするなど、改善したい症状別につぼの表示方法を区別すれば、各症状のつぼが明確に把握できるため、症状別のシートを用意せずに、一枚のシートにすることもできる。
【符号の説明】
【００１８】
Ａ    顔面つぼ表示シート
Ｂ    鏡
１０    シート
１２    目
１４ａ    眼精疲労を解消するつぼ
１４ｂ    歯痛を解消するつぼ
１４ｃ    顔面のしわを改善するつぼ
１４ｄ    顔面のしみを薄くするつぼ
１４ｅ    顔面のたるみを改善するつぼ
【図１】
2010233823.tif 000003
【図２】
2010233823.tif 000004
【図３】
2010233823.tif 000005
【図４】
2010233823.tif 000006
【図５】
2010233823.tif 000007
【図６】
2010233823.tif 000008